(57)【要約】  【課題】容易に折畳状態から展開状態にできる使い捨て吸収性物品を提供する。  【解決手段】使い捨て吸収性物品１を折畳状態にする場合、左側半部分11と前記右側半部分12とを透液性表面シート体２が向き合うように長手方向線Ａを基準とする折曲げにより重ね合わせる。前側半部分13と後側半部分14とを不透液性裏面シート体３が向かい合うように幅方向線Ｂを基準とする折曲げにより重ね合わせる。前側フラップ部16には、使い捨て吸収性物品１を折畳状態から展開状態にする際に摘む摘み部20を設ける。  【選択図】図１
2006167198.tif 000002
【特許請求の範囲】
【請求項１】
透液性表面シート体と、
不透液性裏面シート体と、
前記両シート体間に配設された吸収体とを備え、
長手方向に沿った長手方向線によって略２等分に分割されるように、幅方向一端側には左側半部分が形成されるとともに幅方向他端側には右側半部分が形成され、
幅方向に沿った幅方向線によって略２等分に分割されるように、長手方向一端側には前側半部分が形成されるとともに長手方向他端側には後側半部分が形成され、
長手方向両端部には、前記吸収体より外方に位置する前側フラップ部および後側フラップ部が形成された略縦長状の使い捨て吸収性物品であって、
前記左側半部分と前記右側半部分とは、前記透液性表面シート体が向き合うように、前記長手方向線を基準とする折曲げにより重ね合わされ、
前記前側半部分と前記後側半部分とは、前記不透液性裏面シート体が向かい合うように、前記幅方向線を基準とする折曲げにより重ね合わされ、
前記前側フラップ部には、前記使い捨て吸収性物品を折畳状態から展開状態にする際に摘む摘み部が設けられている
ことを特徴とする使い捨て吸収性物品。
【請求項２】
摘み部は、前側フラップ部の前端より前方に向って突出している
ことを特徴とする請求項１記載の使い捨て吸収性物品。
【請求項３】
透液性表面シート体と、
不透液性裏面シート体と、
前記両シート体間に配設された吸収体とを備え、
長手方向に沿った長手方向線によって略２等分に分割されるように、幅方向一端側には左側半部分が形成されるとともに幅方向他端側には右側半部分が形成され、
幅方向に沿った第１幅方向線および第２幅方向線によって略３等分に分割されるように、長手方向一端側には前側部分が形成されるとともに長手方向他端側には後側部分が形成され、かつ長手方向中央には中間部分が形成され、
長手方向両端部には、前記吸収体より外方に位置する前側フラップ部および後側フラップ部が形成された略縦長状の使い捨て吸収性物品であって、
前記左側半部分と前記右側半部分とは、前記透液性表面シート体が向き合うように、前記長手方向線を基準とする折曲げにより重ね合わされ、
前記前側部分と前記中間部分と前記後側部分とは、前記不透液性裏面シート体が向かい合うように、前記第１幅方向線および前記第２幅方向線を基準とする折曲げにより前記後側部分が前記中間部分と前記前側部分との間に位置する状態に重ね合わされ、
前記前側フラップ部には、前記使い捨て吸収性物品を折畳状態から展開状態にする際に摘む摘み部が設けられている
ことを特徴とする使い捨て吸収性物品。
【請求項４】
摘み部は、前側フラップ部の前端より前方に向って突出している
ことを特徴とする請求項３記載の使い捨て吸収性物品。
【請求項５】
請求項１ないし４のいずれか一記載の複数の使い捨て吸収性物品と、
これら複数の使い捨て吸収性物品が折畳状態で収容された外包装体とを具備し、
前記使い捨て吸収性物品は、長手方向線に沿った折曲げ部分が下で幅方向両端側が上になる状態でかつ厚さ方向および上下方向にそれぞれ複数並んだ状態として、前記外包装体内に収容されている
ことを特徴とする包装パック。
【請求項６】
少なくとも外包装体の側面のうち使い捨て吸収性物品の摘み部と対向した側面には、開封用の切込み線が設けられている
ことを特徴とする請求項５記載の包装パック。
【発明の詳細な説明】
【技術分野】
【０００１】
本発明は、容易に折畳状態から展開状態にできる使い捨て吸収性物品および包装パックに関するものである。
【背景技術】
【０００２】
従来、例えば透液性表面シート体と、不透液性裏面シート体と、これら両シート体間に配設された吸収体とを備え、長手方向に沿った２本の長手方向線によって略３等分に分割されるように幅方向一端側には左側部分が形成されるとともに幅方向他端側には右側部分が形成されかつ幅方向中央には中間部分が形成され、幅方向に沿った２本の幅方向線によって略３等分に分割されるように長手方向一端側には前側部分が形成されるとともに長手方向他端側には後側部分が形成されかつ長手方向中央には中間部分が形成された略縦長状の使い捨て吸収性物品であって、外包装体内へ収容する折畳状態時には、左側部分、中間部分および右側部分が長手方向線を基準とする２回の折曲げにより重ね合わされ、前側部分、中間部分および後側部分が幅方向線を基準とする２回の折曲げにより重ね合わされる使い捨て吸収性物品が知られている（例えば、特許文献１参照）。
【特許文献１】特開２００１−２９３０２９号公報
【発明の開示】
【発明が解決しようとする課題】
【０００３】
しかしながら、上記従来の使い捨て吸収性物品では、長手方向線および幅方向線を基準とする合計４回の折曲げにより折畳状態にされるため、使い捨て吸収性物品を折畳状態から展開状態にする際に手間取るおそれがある。
【０００４】
本発明は、このような点に鑑みなされたもので、容易に折畳状態から展開状態にできる使い捨て吸収性物品およびこの使い捨て吸収性物品を収容した包装パックを提供することを目的とする。
【課題を解決するための手段】
【０００５】
請求項１記載の使い捨て吸収性物品は、透液性表面シート体と、不透液性裏面シート体と、前記両シート体間に配設された吸収体とを備え、長手方向に沿った長手方向線によって略２等分に分割されるように、幅方向一端側には左側半部分が形成されるとともに幅方向他端側には右側半部分が形成され、幅方向に沿った幅方向線によって略２等分に分割されるように、長手方向一端側には前側半部分が形成されるとともに長手方向他端側には後側半部分が形成され、長手方向両端部には、前記吸収体より外方に位置する前側フラップ部および後側フラップ部が形成された略縦長状の使い捨て吸収性物品であって、前記左側半部分と前記右側半部分とは、前記透液性表面シート体が向き合うように、前記長手方向線を基準とする折曲げにより重ね合わされ、前記前側半部分と前記後側半部分とは、前記不透液性裏面シート体が向かい合うように、前記幅方向線を基準とする折曲げにより重ね合わされ、前記前側フラップ部には、前記使い捨て吸収性物品を折畳状態から展開状態にする際に摘む摘み部が設けられているものである。
【０００６】
そして、長手方向線および幅方向線を基準とする合計２回の折曲げにより折畳状態にされるため、前側フラップ部に設けられた摘み部を摘んで容易に折畳状態から展開状態にすることが可能である。
【０００７】
請求項２記載の使い捨て吸収性物品は、請求項１記載の使い捨て吸収性物品において、摘み部は、前側フラップ部の前端より前方に向って突出しているものである。
【０００８】
そして、摘み部が前側フラップ部の前端より前方に向って突出しているため、より一層容易に折畳状態から展開状態にすることが可能となり、しかも、前後を間違えることがなく、装着ミスを抑制可能である。
【０００９】
請求項３記載の使い捨て吸収性物品は、透液性表面シート体と、不透液性裏面シート体と、前記両シート体間に配設された吸収体とを備え、長手方向に沿った長手方向線によって略２等分に分割されるように、幅方向一端側には左側半部分が形成されるとともに幅方向他端側には右側半部分が形成され、幅方向に沿った第１幅方向線および第２幅方向線によって略３等分に分割されるように、長手方向一端側には前側部分が形成されるとともに長手方向他端側には後側部分が形成され、かつ長手方向中央には中間部分が形成され、長手方向両端部には、前記吸収体より外方に位置する前側フラップ部および後側フラップ部が形成された略縦長状の使い捨て吸収性物品であって、前記左側半部分と前記右側半部分とは、前記透液性表面シート体が向き合うように、前記長手方向線を基準とする折曲げにより重ね合わされ、前記前側部分と前記中間部分と前記後側部分とは、前記不透液性裏面シート体が向かい合うように、前記第１幅方向線および前記第２幅方向線を基準とする折曲げにより前記後側部分が前記中間部分と前記前側部分との間に位置する状態に重ね合わされ、前記前側フラップ部には、前記使い捨て吸収性物品を折畳状態から展開状態にする際に摘む摘み部が設けられているものである。
【００１０】
そして、長手方向線、第１幅方向線および第２幅方向線を基準とする合計３回の折曲げにより折畳状態にされるため、前側フラップ部に設けられた摘み部を摘んで容易に折畳状態から展開状態にすることが可能である。
【００１１】
請求項４記載の使い捨て吸収性物品は、請求項３記載の使い捨て吸収性物品において、摘み部は、前側フラップ部の前端より前方に向って突出しているものである。
【００１２】
そして、摘み部が前側フラップ部の前端より前方に向って突出しているため、より一層容易に折畳状態から展開状態にすることが可能となり、しかも、前後を間違えることがなく、装着ミスを抑制可能である。
【００１３】
請求項５記載の包装パックは、請求項１ないし４のいずれか一記載の複数の使い捨て吸収性物品と、これら複数の使い捨て吸収性物品が折畳状態で収容された外包装体とを具備し、前記使い捨て吸収性物品は、長手方向線に沿った折曲げ部分が下で幅方向両端側が上になる状態でかつ厚さ方向および上下方向にそれぞれ複数並んだ状態として、前記外包装体内に収容されているものである。
【００１４】
そして、使い捨て吸収性物品を外包装体内から取り出した後、その取り出した使い捨て吸収性物品を容易に折畳状態から展開状態にすることが可能である。
【００１５】
請求項６記載の包装パックは、請求項５記載の包装パックにおいて、少なくとも外包装体の側面のうち使い捨て吸収性物品の摘み部と対向した側面には、開封用の切込み線が設けられているものである。
【００１６】
そして、開封用の切込み線を利用して外包装体を開封した後、摘み部を利用して、使い捨て吸収性物品を容易に取り出せるとともに容易に展開状態にすることが可能である。
【発明の効果】
【００１７】
請求項１に係る発明によれば、長手方向線および幅方向線を基準とする合計２回の折曲げにより折畳状態にされるため、前側フラップ部に設けられた摘み部を摘んで容易に折畳状態から展開状態にできる。
【００１８】
請求項２に係る発明によれば、摘み部が前側フラップ部の前端より前方に向って突出しているため、より一層容易に折畳状態から展開状態にでき、しかも、前後を間違えることがなく、装着ミスを抑制できる。
【００１９】
請求項３に係る発明によれば、長手方向線、第１幅方向線および第２幅方向線を基準とする合計３回の折曲げにより折畳状態にされるため、前側フラップ部に設けられた摘み部を摘んで容易に折畳状態から展開状態にできる。
【００２０】
請求項４に係る発明によれば、摘み部が前側フラップ部の前端より前方に向って突出しているため、より一層容易に折畳状態から展開状態にでき、しかも、前後を間違えることがなく、装着ミスを抑制できる。
【００２１】
請求項５に係る発明によれば、使い捨て吸収性物品を外包装体内から取り出した後、その取り出した使い捨て吸収性物品を容易に折畳状態から展開状態にできる。
【００２２】
請求項６に係る発明によれば、開封用の切込み線を利用して外包装体を開封した後、摘み部を利用して、使い捨て吸収性物品を容易に取り出せるとともに容易に展開状態にできる。
【発明を実施するための最良の形態】
【００２３】
本発明の使い捨て吸収性物品の一実施の形態を図面を参照して説明する。
【００２４】
図１および図２において、１は使い捨て吸収性物品（使い捨ておむつ）で、この使い捨て吸収性物品１（以下「吸収性物品１」という。）は、図１に示す展開状態において略縦長状で略矩形板状をなすものである。
【００２５】
吸収性物品１は、図１に示されるように、透液性表面シート体２と、不透液性裏面シート体３と、これら両シート体２，３間に配設され２つの幅広部分４およびこの幅広部分４より幅方向寸法が短い１つの幅狭部分５を有し長手方向が吸収性物品１の長手方向に一致した略縦長状で略砂時計形状をなす吸収体６と、弾性部材８の弾性復元力によって使用者への装着時に起立する左右一対のフラップ体７とを備えている。
【００２６】
そして、吸収性物品１の長手方向に沿った１本の長手方向線（仮想線）Ａによって吸収性物品１が略２等分に分割されるように、吸収性物品１の幅方向一端側には左側半部分11が形成されるとともに幅方向他端側には右側半部分12が形成されている。
【００２７】
また、吸収性物品１の幅方向に沿った１本の幅方向線（仮想線）Ｂによって吸収性物品１が略２等分に分割されるように、吸収性物品１の長手方向一端側には前側半部分13が形成されるとともに長手方向他端側には後側半部分14が形成されている。
【００２８】
さらに、吸収性物品１の長手方向両端部には、吸収体６の長手方向端部より外方に位置し長手方向が吸収性物品１の幅方向に一致した長手状をなす前側フラップ部16および後側フラップ部17がそれぞれ形成されている。なお、吸収体６の幅広部分４の幅方向寸法と吸収性物品１全体の幅方向寸法とが等しく、吸収性物品１の幅方向両端部には吸収体６の幅向端部より外方に位置するフラップ部は形成されていない。
【００２９】
また、吸収性物品１の前側フラップ部16の長手方向中央部（左右方向中央部）には、吸収性物品１を折畳状態から展開状態にする際に摘む摘み部20が一体に設けられている。例えば前側フラップ部16は互いに接合された透液性表面シート体２および不透液性裏面シート体３にて構成され、これら両シート体２，３の一部が摘み部20となっている。
【００３０】
そして、図２に示されるように、吸収性物品１の折畳状態では、左側半部分11と右側半部分12とは、透液性表面シート体２が向き合うように、長手方向線Ａを基準とする１回の折曲げにより重ね合わされている。また、吸収性物品１の折畳状態では、前側半部分13と後側半部分14とは、不透液性裏面シート体３が向かい合うように、幅方向線Ｂを基準とする１回の折曲げにより重ね合わされている。例えば右側半部分12が左側半部分11に対して長手方向線Ａを基準に折り畳まれ、その後、後側半部分14が前側半部分13に対して幅方向線Ｂを基準に折り畳まれて、吸収性物品１が所望の折畳状態となっている。
【００３１】
図３および図４には、複数の吸収性物品１を略矩形板状の折畳状態にして外包装体22内に収容した包装パック（吸収性物品のパック詰め商品）21が示されている。
【００３２】
図３から明らかなように、吸収性物品１は、長手方向線Ａに沿った折曲げ部分（折返部）1aが下で幅方向両端部1bが上に位置する状態で、かつ厚さ方向および上下方向にそれぞれ複数並んだ状態（例えば厚さ方向に６つ、上下方向に２つで、合計１２）として、外包装体22内にやや圧縮されて収容されている。
【００３３】
この外包装体22は、外形略直方体状をなす袋状のもので、この外包装体22の上面幅方向両端には取手23が設けられている。また、図４から明らかなように、外包装体22の４つの側面のうち吸収性物品１の摘み部20と対向した１つの側面と外包装体22の上面とには、開封用の切込み線24がその側面中央および上面中央を通るように設けられている。
【００３４】
そして、包装パック21内の吸収性物品１の使用時においては、開封用の切込み線24を利用して外包装体22を開封した後、摘み部20を利用して、吸収性物品１を外包装体22内から容易に取り出せるとともに、吸収性物品１を容易に折畳状態から展開状態にできる。
【００３５】
また、吸収性物品１の摘み部20が前側フラップ部16の長手方向中央部に設けられているため、吸収性物品１の前後を間違えるようなことがなく、使用者への装着ミスを抑制できる。
【００３６】
さらに、吸収性物品１を展開状態にした場合に、吸収性物品１の幅方向中央部（左右対称の位置）には長手方向線Ａに沿って折り目が残っているため、その折り目を吸収性物品１の幅方向中央位置の目印にでき、使用者への装着ミスをより一層抑制できる。
【００３７】
また、開封用の切込み線24が外包装体22の摘み部20と対向した側面に設けられているため、摘み部20の位置しない側の側面を開けてしまうことがない。
【００３８】
さらに、吸収性物品１は、長手方向線Ａに沿った折曲げ部分1aが下で幅方向両端部1bが上に位置する状態で外包装体22内に収容されているため、包装パック21の安定性が図られる。
【００３９】
なお、図５および図６に示すように、摘み易さを向上させてより一層容易に展開状態にできるように、摘み部20を前側フラップ部16の長手方向中央部前端より前方に向けて突出させてもよい。この場合、折畳状態では、摘み部20は、前側フラップ部16の端部および後側フラップ部17の端部の両方から突出した状態なる。例えば製造において、吸収性物品１は連続につながって生産され、隣合う前端部と後端部が切断されるので、摘み部20が突出状になった分、後側フラップ部17にその摘み部20に対応した凹状部30が形成されるようにすれば材料に無駄がでない。
【００４０】
また、図７および図８に示すように、コンパクト性の観点から、吸収性物品１を長手方向線Ａ、第１幅方向線Ｂ1および第２幅方向線Ｂ2を基準とする合計３回の折曲げにより折畳状態にするようにしてもよい。
【００４１】
図７および図８に示す吸収性物品１は、図１に示すものと同様、透液性表面シート体２、不透液性裏面シート体３、吸収体６およびフラップ体７等を備えている。
【００４２】
そして、吸収性物品１の長手方向に沿った１本の長手方向線（仮想線）Ａによって吸収性物品１が略２等分に分割されるように、吸収性物品１の幅方向一端側には左側半部分11が形成されるとともに幅方向他端側には右側半部分12が形成されている。また、吸収性物品１の幅方向に沿った第１幅方向線（仮想線）Ｂ1および第２幅方向線（仮想線）Ｂ2によって略３等分に分割されるように、吸収性物品１の長手方向一端側には前側部分31が形成されるとともに長手方向他端側には後側部分32が形成されかつ長手方向中央には中間部分33が形成されている。さらに、吸収性物品１の長手方向両端部には、吸収体６の長手方向端部より外方に位置し長手方向が吸収性物品１の幅方向に一致した長手状をなす前側フラップ部16および後側フラップ部17がそれぞれ形成されている。なお、吸収体６の幅広部分４の幅方向寸法と吸収性物品１全体の幅方向寸法とが等しく、吸収性物品１の幅方向両端部には吸収体６の幅向端部より外方に位置するフラップ部は形成されていない。
【００４３】
また、前側フラップ部16の長手方向中央部（左右方向中央部）には、吸収性物品１を折畳状態から展開状態にする際に摘む摘み部20が一体に設けられている。例えば前側フラップ部16は互いに接合された透液性表面シート体２および不透液性裏面シート体３にて構成され、これら両シート体２，３の一部が摘み部20となっている。なお図示しないが、摘み部20を前側フラップ部16の長手方向中央部前端より前方に向けて突出させてもよい。
【００４４】
そして、図８に示されるように、吸収性物品１の折畳状態では、左側半部分11と右側半部分12とは、透液性表面シート体２が向き合うように、長手方向線Ａを基準とする１回の折曲げにより重ね合わされている。また、吸収性物品１の折畳状態では、前側部分31と中間部分33と後側部分32とは、不透液性裏面シート体３が向かい合うように、第１幅方向線Ｂ1および第２幅方向線Ｂ2を基準とする２回の折曲げにより後側部分32が中間部分33と前側部分31との間に位置する状態に重ね合わされている。例えば右側半部分12が左側半部分11に対して長手方向線Ａを基準に折り畳まれ、その後、後側部分32が中間部分33に対して第２幅方向線Ｂ2を基準に折り畳まれ、その後、前側部分31が後側部分32に対して第１幅方向線Ｂ1を基準に折り畳まれて、吸収性物品１が所望の折畳状態となっている。なお、この図８に示す吸収性物品１も、図３および図４に示す場合と同じように外包装体22内に収容して包装パック21にする。
【００４５】
なお、上記いずれの実施の形態においても、摘み部20は前側フラップ部16のシート体２，３の一部にて構成されたものには限定されず、例えば前側フラップ部16にシート体２，３とは異なる別体のシートを貼り付けて摘み部20としてもよい。また、前側フラップ部16における左側半部分11の長手方向線Ａ寄り部分と前側フラップ部16における右側半部分12の長手方向線Ａ寄り部分とを接合し、この接合部分を摘み部20としてもよい。
【００４６】
また、例えば印刷、色付きのシートを貼る、色付きの接着剤を塗布する等の方法を用いて、摘み部20の色と前側フラップ部16の色とが異なるようにしてもよい。
【００４７】
さらに、外包装体22に設ける開封用の切込み線24は側面から上面にわたって位置するものには限定されず、例えば図９に示すように、摘み部20と対向した１つの側面に切込み線24をコ字状をなすように設けてもよい。また、摘み部20と対向した１つの側面に上下方向に延びる複数本の切込み線24を間隔をおいて設けてもよい。なお、側面から上面にわたる切込み線24は、連続していても連続していなくてもよい。開封の容易性を考慮すると連続であることが好ましいが、外包装体22をあまり開けずに吸収性物品１を１枚ずつ取り出すような場合には連続していない方がよい。
【００４８】
また、吸収性物品１は、展開状態で略矩形板状をなすものには限定されず、例えば砂時計状をなすもの、或いはテープ式のパンツ形状をなすもの等でもよい。
【００４９】
さらに、例えば図１に示す吸収性物品１において、幅方向線Ｂを吸収性物品１の長手方向中央の位置から後方側に若干ずらすことにより、前側半部分13を後側半部分14より若干大きくし、吸収性物品１の折畳状態時に摘み部20が後側フラップ部17の縁部より外方に位置するようにしてもよい。
【００５０】
また同様に、例えば図７に示す吸収性物品１において、第１幅方向線Ｂ1および第２幅方向線Ｂ2をそれぞれ吸収性物品１の長手方向３等分の位置から後方側に若干ずらすことにより、前側部分31を後側部分32や中間部分33より若干大きくし、吸収性物品１の折畳状態時に摘み部20が第２幅方向線Ｂ2に沿って位置する折返部より外方に位置するようにしてもよい。
【図面の簡単な説明】
【００５１】
【図１】本発明の使い捨て吸収性物品に係る一実施の形態の展開状態を示す平面図である。
【図２】同上使い捨て吸収性物品の折畳状態を示す正面図である。
【図３】同上使い捨て吸収性物品を折畳状態にして外包装体内に収容した状態を示す斜視図である。
【図４】同上外包装体の外観斜視図である。
【図５】本発明の使い捨て吸収性物品に係る他の実施の形態の展開状態を示す平面図である。
【図６】同上使い捨て吸収性物品の折畳状態を示す正面図である。
【図７】本発明の使い捨て吸収性物品に係るさらに他の実施の形態の展開状態を示す平面図である。
【図８】同上使い捨て吸収性物品の折畳状態を示す正面図である。
【図９】外包装体の変形例を示す外観斜視図である。
【符号の説明】
【００５２】
１    使い捨て吸収性物品
２    透液性表面シート体
３    不透液性裏面シート体
６    吸収体
11    左側半部分
12    右側半部分
13    前側半部分
14    後側半部分
16    前側フラップ部
17    後側フラップ部
20    摘み部
21    包装パック
22    外包装体
24    切込み線
31    前側部分
32    後側部分
33    中間部分
Ａ    長手方向線
Ｂ    幅方向線
Ｂ1   第１幅方向線
Ｂ2   第２幅方向線
【図１】
2006167198.tif 000003
【図２】
2006167198.tif 000004
【図３】
2006167198.tif 000005
【図４】
2006167198.tif 000006
【図５】
2006167198.tif 000007
【図６】
2006167198.tif 000008
【図７】
2006167198.tif 000009
【図８】
2006167198.tif 000010
【図９】
2006167198.tif 000011